(57)【要約】      （修正有）【課題】人に物をプレゼントするときにしゃれた雰囲気を演出できる造花を提供する。【解決手段】茎１と、茎１の上端部に花冠５を備えた造花であって、花冠５内に贈呈物２０を止めておく止め具を設けている。止め具は、花冠５内に固定した台座と、台座に取付けられた針金１３とからなる、針金１３は２本の細針金を紐状に縒り合わせて、多数の毛羽を固定している飾り針金である、花冠５の中に贈呈物２０を丸めて入れ飾り針金１３で止めると外観上、普通の造花のように見えるが、飾り針金１３を外して贈呈物２０を取り出すと、被贈呈者が思わぬ贈り物をされたと思って驚くので、しゃれたプレゼントができる。【選択図】図１
0003202175.tif 000002
【実用新案登録請求の範囲】
【請求項１】
茎と、該茎の上端部に花冠を備えた造花であって、
前記花冠内に贈呈物を止めておく止め具を設けた
ことを特徴とする造花。
【請求項２】
前記止め具が、前記花冠内に固定した台座と、
該台座に取付けられた針金とからなる
ことを特徴とする請求項１記載の造花。
【請求項３】
前記針金が２本の細針金を紐状に縒り合わせて、多数の毛羽を固定している飾り針金である
ことを特徴とする請求項２記載の造花。
【考案の詳細な説明】
【技術分野】
【０００１】
本考案は、造花に関する。さらに詳しくは、人に物をプレゼントするのにしゃれた雰囲気を演出できる造花に関する。
【背景技術】
【０００２】
造花は一般に生花と同様にテーブルや戸棚に飾るものであり、それ以外の用途に使うことは余り考えられていない。
少数ながら、造花を用いたセレモニーの演出装置とか礼服用の布造花とかがある。
特許文献１は、セレモニー用の造花で、造花の花冠内に発光部を内蔵させたものである。
特許文献２は、礼服に着用するハンカチ代りの造花である。
【０００３】
しかるに、上記従来例は、人に物をプレゼントするときに使用するものではない。
【先行技術文献】
【特許文献】
【０００４】
【特許文献１】特開2014-88654号公報
【特許文献２】特開2002-309428号公報
【考案の概要】
【考案が解決しようとする課題】
【０００５】
本考案は上記事情に鑑み、人に物をプレゼントするときにしゃれた雰囲気を演出できる造花を提供することを目的とする。
【課題を解決するための手段】
【０００６】
第１考案の造花は、茎と、該茎の上端部に花冠を備えた造花であって、前記花冠内に贈呈物を止めておく止め具を設けたことを特徴とする。
第２考案の造花は、第１考案において、前記止め具が、前記花冠内に固定した台座と、該台座に取付けられた針金とからなることを特徴とする。
第３考案の造花は、第２考案において、前記針金が２本の細針金を紐状に縒り合わせて、多数の毛羽を固定している飾り針金であることを特徴とする。
【考案の効果】
【０００７】
第１考案によれば、花冠の中に贈呈物を丸めて入れ止め具で止めると外観上、普通の造花のように見えるが、止め具を外して贈呈物を取り出すと、被贈呈者が思わぬ贈り物をされたと思って驚くので、しゃれたプレゼントができる。
第２考案によれば、贈呈物を丸めると台座の上に収まりがよくなり、それを針金で止めると、贈呈物が花冠の中で動かないので、花芯のように見え、外見上普通の造花のようなリアル感を醸し出すことができる。
第３考案によれば、飾り針金の毛羽が、造花の材料と近似した外見なので、花芯のように見せた贈呈物のまわりにまとわりついても、外見上普通の造花のようなリアル感を醸し出すことができる。
【図面の簡単な説明】
【０００８】
【図１】本考案の一実施形態に係る造花の外観図である。
【図２】花冠の内部構造の説明図である。
【図３】花冠に贈呈物を止めた状態の説明図である。
【考案を実施するための形態】
【０００９】
つぎに、本考案の実施形態を図面に基づき説明する。
図１は本考案の一実施形態に係る１本の造花Ａを示している。
造花Ａは茎１とその茎１の上端部に取付けた花冠５とからなる。
茎１は枝２が付いて、枝２には葉３が付いている。
【００１０】
茎１は、枝２や葉３も含めて、プラスチックやゴム、ガラスなどの材料で作られるが、とくに材料に制限があるわけではない。
茎１には、自立性をもたせるため針金などの芯金を入れることもある。
【００１１】
花冠５は複数枚の大きな花弁６と数枚の小さな萼７とからなる花冠５の中、つまり花弁６で囲まれた部分には、贈呈物１０が収められ、針金１３で止められている。この状態で、贈呈物は花芯に見えるようになっている。
【００１２】
花冠５の花弁６や愕７は、布や不織布などの材料で作られるが、一般的な造花材料がとくに制限なく使用される。
【００１３】
図２に基づき、花冠５内の止め具１０の構造を説明する。
止め具１０は、台座１１と針金１３とからなる。
台座１０は全体の形状が椀状の部材であり、縦横の筋交い構により多数の窓をもったプラスチック部品である。この台座１０は茎１の芯針１２に固定されている。
【００１４】
また、台座１０には針金１３が取付けられている。針金１３は２本の細針金１４、１４を紐状に縒り合わせており、２本の細針金１４、１４の間に多数の毛羽１５を固定した飾り針金である。
【００１５】
この飾り針金１３を用いると、毛羽１５が布となじみやすい外観をもつので、贈呈物２０を止めたとき異和感が生じない。
【００１６】
図３は贈呈物２０を丸めて、台座１０の上におき飾り針金１３でからめて止めた状態を示している。この状態だと、丸められた贈呈物２０は花弁６の中にある花芯のように見える。
【００１７】
本考案で用いる贈呈物２０は布製のものが、造花の風合いと似るので好ましいが、これに限られない。
また、具体的な贈呈物としては、ハンカチやショーツ、くつ下などの衣類のほか、雑貨や食べ物などを例示できるが、これらに限られない。
【００１８】
花冠５の色と贈呈物２０の色彩は同じものにする必要はないが、同色であると、贈呈物２０が人の眼には花芯のように見えるので好ましい。
また、飾り針金１３も同色である必要はないが、同色であると、贈呈物２０の色にとけ込んで、外観上自然な花芯に見えるので好ましい。
【００１９】
図１は図２および図３に示すようにして、贈呈物２０を花弁６の中心に取付けた造花Ａを示している。
この造花Ａは１本で使ってもよく、２本以上を使ってもよい。また、それぞれの色彩は赤や黒、白などを例示できるが、任意である。
【００２０】
造花Ａのデザインは、バラに似せたもののほか、任意の花に似せたデザインを採用しうる。
【００２１】
本実施形態によれば、贈呈物２０を丸めると台座１０の上に収まりがよくなり、それを飾り針金１３で止めると、贈呈物２０が花冠５の中で動かないので、花芯のように見え、外見上普通の造花のようなリアル感を醸し出すことができる。なお、贈呈物で花弁全体を構成するよりも、本考案のように外側数枚の花弁６を残しておいて、その中に贈呈物２０を入れて花弁６で覆う方が、造花自体の外観を損なわないので、価値が高い。
【００２２】
また、飾り針金１３の毛羽１５が、造花の材料と近似した外見なので、花芯のように見せた贈呈物２０のまわりにまとわりついても、外見上普通の造花のようなリアル感を醸し出すことができる。
【００２３】
以上の特徴を有する本実施形態の造花Ａによれば、花冠５の中に贈呈物２０を丸めて入れ飾り針金１３で止めると外観上、普通の造花のように見えるが、飾り針金１３を外して贈呈物２０を取り出すと、被贈呈者が思わぬ贈り物をされたと思って驚くので、しゃれたプレゼントができる。
【符号の説明】
【００２４】
１  茎
５  花冠
６  花弁
１０  台座
１３  飾り針金
２０  贈呈物
【図１】
0003202175.tif 000003
【図２】
0003202175.tif 000004
【図３】
0003202175.tif 000005